(57)【要約】【課題】  簡単な構造で効率よく安定的に、防虫剤、殺虫剤などを霧化して噴霧することが出来る新規な薬液噴霧器を提供する。【解決手段】  容器１内の薬液ａが、浮子２に形成された導通孔１１を通って、浮子の凹部９内に安定して供給されるので、凹部９内の超音波振動子４の稼動により、該凹部９内の薬液を効率よく霧化して噴霧することが出来る。【選択図】  図３
0003121972.tif 000002
【実用新案登録請求の範囲】
【請求項１】
噴霧する薬液を入れる容器と、該容器内に浮かべる浮子を備え、該浮子に搭載した超音波振動子の稼動により容器内の薬液を霧化して噴霧する薬液噴霧器であって、
前記浮子が、超音波振動子を収容する凹部と、該凹部に容器内の薬液を流入させる導通孔を有し、前記超音波振動子を、前記導通孔より下位に位置するよう前記凹部内で弾性振動可能に支持して、該超音波振動子の振動により、前記凹部に流入した薬液を霧化し前記凹部の開口より噴霧することを特徴とする防虫、殺虫用薬液噴霧器。
【請求項２】
板状の前記超音波振動子を前記凹部内で水平状に支持し、該超音波振動子上に微量薬液を供給するべく、前記導通孔を前記超音波振動子の直上に形成すると共に、該導通孔が容器内薬液の液面レベルと同レベルになるよう前記浮子の浮力を設定して、前記超音波振動子上に供給された微量薬液を、前記超音波振動子の稼動により霧化し前記凹部の開口より噴霧することを特徴とする請求項１記載の防虫、殺虫用薬液噴霧器。
【請求項３】
前記超音波振動子上に供給された薬液の液深さが１μｍ〜３ｍｍの範囲となるよう構成したことを特徴とする請求項２記載の防虫、殺虫用薬液噴霧器。
【請求項４】
前記凹部と前記導通孔を複数設けると共に、各凹部内に前記超音波振動子を配設したことを特徴とする請求項１〜３のいずれか１項記載の防虫、殺虫用薬液噴霧器。
【請求項５】
害虫誘引用の照明手段を備えたことを特徴とする請求項１〜４のいずれか１項記載の防虫、殺虫用薬液噴霧器。
【考案の詳細な説明】
【技術分野】
【０００１】
本考案は、防虫剤や殺虫剤などの薬液を超音波振動子の稼動により霧化して噴霧する薬液噴霧器に関し、詳しくは、簡単な構造で効率よく防虫剤、殺虫剤などを霧化して噴霧することが出来る新規な薬液噴霧器に関する。
【背景技術】
【０００２】
従来から、超音波振動子の稼動により殺虫用の薬液などを霧化（微粒子化）して噴霧するようにした殺虫装置が知られている（例えば、特許文献１〜３など参照）。
【０００３】
【特許文献１】特開平４−２９８２６２号公報
【特許文献２】特開平１１-２８５３４１号公報
【特許文献３】特開２００１−７０８５１号公報
【考案の開示】
【考案が解決しようとする課題】
【０００４】
この種超音波噴霧式の殺虫装置においては、圧電振動子からなる超音波振動子により薬液を効率よく霧化させることが重要であり、通常、特許文献１に開示されるように、液供給チューブ（微小径チューブ）を介して、振動子と補助板との微小間隙内へ容器内の液体を供給する方式が採用される。また、特許文献３に開示されるように、毛細管現象を利用した導液芯材を介して、圧電超音波振動子へ容器内の液体を供給することも考えられる。
しかし、微小径チューブや導液芯材などの別部材からなる微量給液手段を用いる方式では、超音波振動子に効率よく安定して薬液を供給することが困難であり、具体的には、長期の使用により微小径チューブや導液芯材などに目詰まりなどが生じ易く、液供給が不安定になる虞れがある。
一方、特許文献２には、水槽の底に取り付けた超音波振動子の稼動により槽内の液性殺虫剤を微粒子化させることが開示されているが、このような方式では薬液を効率よく霧化させることが容易ではなく、超音波振動子に相当のスペックが要求されるので、高価な装置となる虞れがある。
【０００５】
本考案はこのような従来事情に鑑みてなされたもので、その目的とするところは、簡単な構造で効率よく安定的に、防虫剤、殺虫剤などを霧化して噴霧することが出来る新規な薬液噴霧器を提供することにある。
【課題を解決するための手段】
【０００６】
以上の目的を達成するために、本考案に係る防虫、殺虫用の薬液噴霧器は、噴霧する薬液を入れる容器と、該容器内に浮かべる浮子を備え、該浮子に搭載した超音波振動子の稼動により容器内の薬液を霧化して噴霧する薬液噴霧器であって、
前記浮子が、超音波振動子を収容する凹部と、該凹部に容器内の薬液を流入させる導通孔を有し、前記超音波振動子を、前記導通孔より下位に位置するよう前記凹部内で弾性振動可能に支持して、該超音波振動子の振動により、前記凹部に流入した薬液を霧化し前記凹部の開口より噴霧することを特徴とする。
超音波振動子は、この種分野で通常用いられる圧電振動子からなるものを用いることが出来、ゴムなどの弾性部材を用いて、凹部内で弾性振動可能なよう支持される。凹部は、浮子の上面側又は側面側に開口するよう、所定深さをもって浮子に凹設することが出来る。
このような構成によれば、容器内の薬液は、浮子に形成された導通孔を通って、該浮子の凹部に安定して供給されるので、該凹部内の超音波振動子の稼動により、該凹部内の薬液を効率よく霧化して噴霧することが出来る。
【０００７】
また、本考案に係る防虫、殺虫用の薬液噴霧器は、板状の前記超音波振動子を前記凹部内で水平状に支持し、該超音波振動子上に微量薬液を供給するべく、前記導通孔を前記超音波振動子の直上に形成すると共に、該導通孔が容器内薬液の液面レベル（水位）と同レベルになるよう前記浮子の浮力を設定して、前記超音波振動子上に供給された微量薬液を、前記超音波振動子の稼動により霧化し前記凹部の開口より噴霧することを特徴とする。
ここで、超音波振動子は、板状の圧電振動子を凹部内の所定高さ位置に水平状に設置し、これにより、凹部内における超音波振動子の上方に、薬液供給空間を区画形成すると良い。
このように構成した場合、凹部内に水平状に支持された超音波振動子の上面側に、容器内の薬液が導通孔を通って、該容器内薬液と同一水位になるよう安定的に微量供給され、その微量薬液が、超音波振動子の稼動により効率よく霧化され、凹部の開口から噴霧される。
【０００８】
本考案において、前記超音波振動子上に供給された薬液の液深さ（ｄ）が、１μｍ〜３ｍｍの範囲となるよう構成することが好ましい。すなわち、凹部内に水平状に支持される板状の超音波振動子と、その直上に形成される導通孔の端部開口との離間寸法（ｄ）を、１μｍ〜３ｍｍの範囲となるよう構成することが好ましい。
この場合、超音波振動子の上面に微量の薬液が安定して供給されるようになるので、より効率よく安定的に薬液を霧化することが出来る。
【０００９】
また、前記凹部と前記導通孔を複数設けると共に、各凹部内に前記超音波振動子を配設すれば、それぞれの凹部から効率よく薬液を噴霧することが出来る。
【００１０】
さらに、害虫誘引用の照明手段を備えれば、薬液の噴霧範囲内に害虫などを誘引して、より確実な防虫、殺虫効果を得ることが出来る。
照明手段としては、害虫などが誘引されるものであればどのようなものでも良いが、例えば、紫外線ランプや蛍光灯などを挙げることが出来る。
【考案の効果】
【００１１】
本考案に係る薬液噴霧器は以上説明したように構成したので、従来の超音波式噴霧器のように、微小系チューブやどう液芯材などの別部材を介することなく、浮子と、該浮子に設けた導通孔及び凹部を有効に利用して、超音波振動子に直接的に適量の薬液を安定して供給することが出来る。よって、超音波振動子の稼動により効率よく薬液を霧化して噴霧することが出来る新規な浮子式薬液噴霧器として提供することが出来た。
【考案を実施するための最良の形態】
【００１２】
以下、実施形態の一例を図１〜図３に基づき説明する。
本例の薬液噴霧器Ａは、噴霧する薬液ａを入れる上面開口型の容器１と、該容器１内に浮かべた浮子２と、該浮子２に取り付けた照明手段３からなり、浮子２に搭載した超音波振動子４の稼動により、容器１内の薬液ａを霧化して噴霧するよう構成されている。
【００１３】
浮子２は、プラスチックなどからなるケーシング５内に発泡スチロールなどからなる浮体６を充填したもので、その上部が容器内薬液ａの液面レベル（水位）ａ’よりやや上位に位置し、且つ後述する導通孔１１が、容器内液面ａの液面レベルａ’と同レベルに位置するよう、所定の浮力を有している。
また浮子２は、中心部位に縦孔７を備えたドーナツ形状に形成されると共に、その縦孔７を中心とした仮想円の円周方向に等間隔をおいて、浮子上面８に開口する凹部９が複数形成され、それぞれの凹部９内に、超音波振動子４が設置されている。
【００１４】
凹部９は、その上面開口１０が霧化された薬液の噴霧口となるよう、浮子上面８から所定深さをもって凹設されている。それぞれの凹部９は、浮子６に形成した導通孔１１により、浮子２の外側（容器１内の薬液貯溜空間）と連通している。
【００１５】
導通孔１１は、凹部９の内周面と、浮子２の外周面との間にわたって、容器内の薬液ａの液面レベル（水位）ａ’とほぼ同一高さになるよう水平状に開設されており、該導通孔１１を通って、容器内薬液ａが凹部９内に流入し、該凹部９内の薬液の水位が、容器内薬液の水位と同一になる。
【００１６】
超音波振動子４は、この種分野で通常用いられる圧電振動子からなり、電源コード１４、スイッチ１５を介して電力が選択的に供給されるようになっている。
本例では、凹部９の内周に沿う有底筒状のゴム製弾性材１２を凹部９内に嵌合状に装着すると共に、上下のＯリング１３，１３を用いて、超音波振動子（圧電振動子）４を所定高さ位置に水平状に支持し、且つ弾性材１２の弾力で弾性振動可能なよう構成している。弾性材１２には前記導通孔１１に連通する開口が形成され、その開口の直下に、超音波振動子４が位置している。
すなわち、前記導通孔１１を、超音波振動子４の直上で且つ容器内薬液の液面レベル（水位）ａ’と同レベルになるようにして、超音波振動子４の上面側に、微量の薬液が常に供給されるよう構成されている。
【００１７】
また、本例では、超音波振動子４を、凹部９の内径よりやや小径な円板状の圧電振動子で構成し、凹部９内における超音波振動子４の上方に、薬液供給空間を区画形成している。また、この薬液供給空間に前記微量薬液が常に供給されるよう、超音波振動子４と、その直上に位置する導通孔１１との離間寸法（ｄ）を１μｍ〜３ｍｍの範囲となる、すなわち、超音波振動子４上に供給された薬液の液深さ（ｄ）が１μｍ〜３ｍｍの範囲となるようにし、超音波振動子４上に安定して微量薬液が供給されるよう構成している。
尚、前記した超音波振動子４をＯリング１３，１３により弾性材１２内の所定高さ位置に予め組み込んだものを超音波振動ユニットとしてユニット化しておくとよい。
【００１８】
照明手段３は、害虫などを誘引可能な明かりを発する照明具、例えば紫外線ランプや蛍光灯などの照明具からなり、電源コード１６、スイッチ１５を介して電力が選択的に供給されるようになっている。
【００１９】
以上の構成になる本例の薬液噴霧器Ａを使用する場合は、まず、容器１内に所定量の防虫剤や殺虫剤などの薬液を入れてその中に浮子２を浮かせれば、導通孔１１を通って、それぞれの凹部９内に容器内薬液ａが流入し、各凹部９内の超音波振動子４の上面側に微量の薬液が供給される。次に、スイッチ１５を操作してそれぞれの超音波振動子４に電力を供給すれば、各超音波振動子４が振動して、該超音波振動子４上の微量薬液が霧化され、各凹部９の上面開口１０から噴霧され、所定の防虫、殺虫効果を得ることが出来る。また、スイッチ１５を操作して照明具３を点灯させれば、その明かりに誘引されて害虫などが薬液噴霧器Ａの近辺に集まってくるので、防虫、殺虫効果を向上させることが出来る。
容器内薬液ａの液面レベル（水位）ａ’が下がっても、浮子２の浮力により、導通孔１１がその液面レベルａ’と同じ高さに位置し、各凹部９への薬液供給が前記と同様になされるので、薬液噴霧効率が低下することなく、一定の防虫、殺虫効果を得ることが出来る。
【００２０】
尚、本例の薬液噴霧器Ａは、一般家庭や商店などでの使用を考慮した比較的小型の薬液噴霧器として構成することも出来るし、屋外や田畑、果樹園などでの使用を考慮した比較的大型の薬液噴霧器として構成することも出来る。
【００２１】
以上、実施形態の一例を図面に基づいて説明したが、本考案に係る薬液噴霧器は図示例に限定されず、実用新案登録請求の範囲の各請求項に記載された技術的思想の範疇において種々の変更が可能であることは言うまでもない。
【図面の簡単な説明】
【００２２】
【図１】本考案に係る実施形態の一例を示す薬液噴霧器の縦断正面図。
【図２】図１の平面図。
【図３】図１の要部拡大断面図。
【符号の説明】
【００２３】
Ａ：薬液噴霧器
１：容器
２：浮子
３：照明手段
４：超音波振動子
９：凹部
１１：導通孔
ａ：薬液
ａ’：薬液の液面レベル（水位）
ｄ：超音波振動子上の薬液の液深さ
【図１】
0003121972.tif 000003
【図２】
0003121972.tif 000004
【図３】
0003121972.tif 000005